(57)【要約】【課題】道路橋継ぎ目部（床版遊間）からの漏水によるコンクリート床版や鋼製主桁の早期な劣化を予防する。【解決手段】道路橋継ぎ目部（Ｓ）の伸縮継手（Ｊ１）〜（Ｊ７）からその継ぎ目部（Ｓ）に沿って落下する漏水（Ａ）が、道路橋における少なくともコンクリート床版（１）の下面位置まで伝わることを防ぐバリアー（Ｂ）を、上記伸縮継手（Ｊ１）〜（Ｊ７）のそれ自体又はコンクリート床版（１）から吊り下げた。【選択図】  図１０
2011074742.tif 000002
【特許請求の範囲】
【請求項１】
道路橋継ぎ目部（Ｓ）の伸縮継手（Ｊ１）〜（Ｊ７）からその継ぎ目部（Ｓ）に沿って落下する漏水（Ａ）が、道路橋における少なくともコンクリート床版（１）の下面位置まで伝わることを防ぐバリアー（Ｂ）を、上記伸縮継手（Ｊ１）〜（Ｊ７）のそれ自体又はコンクリート床版（１）から吊り下げたことを特徴とする道路橋継ぎ目部からの漏水誘導装置。
【請求項２】
漏水（Ａ）のバリアー（Ｂ）を２枚１組の向かい合うゴム膜（１８ａ）（１８ｂ）として、道路橋継ぎ目部（Ｓ）に沿い点在分布する複数づつのネジ締結具（Ｎ）とその座金になる間隔保持スペーサー（２１）により、側面視のほぼ下細り漏斗形に締結すると共に、
その両ゴム膜（１８ａ）（１８ｂ）の一定幅（Ｗ）だけ下向きに開口する導水路（２２）を、伸縮継手（Ｊ１）〜（Ｊ７）のニュートラル時における道路橋継ぎ目部（Ｓ）のほぼ垂直二等分線（Ｙ−Ｙ）上に沿って延在させたことを特徴とする請求項１記載の道路橋継ぎ目部からの漏水誘導装置。
【請求項３】
漏水（Ａ）のバリアー（Ｂ）を２枚１組の向かい合うゴム膜（１８ａ）（１８ｂ）として、道路橋継ぎ目部（Ｓ）に沿い点在分布する複数のネジ締結具（Ｎ）とその継ぎ目部（Ｓ）に沿い延在する長いクッション材の間隔保持スペーサー（２１）により、側面視のほぼ下細り漏斗形に締結して、
その両ゴム膜（１８ａ）（１８ｂ）の一定幅（Ｗ）だけ下向きに開口する導水路（２２）を、伸縮継手（Ｊ１）〜（Ｊ７）のニュートラル時における道路橋継ぎ目部（Ｓ）のほぼ垂直二等分線（Ｙ−Ｙ）上に沿って延在させると共に、
同じく両ゴム膜（１８ａ）（１８ｂ）の上記間隔保持スペーサー（２１）よりも上部のほぼＶ字形に拡開する空間へ、常温加硫型の液状ゴムや水膨潤性ゴム、注入式発泡スポンジなどの止水材（３２）を充填したことを特徴とする請求項１記載の道路橋継ぎ目部からの漏水誘導装置。
【請求項４】
漏水（Ａ）のバリアー（Ｂ）を連続１枚物のゴム膜（１８）から折り曲げた袋状として、道路橋継ぎ目部（Ｓ）に沿い点在分布する複数づつのネジ締結具（Ｎ）とその座金になる間隔保持スペーサー（２１）により、側面視のほぼ下細り漏斗形に締結すると共に、
そのゴム膜（１８）の下端部に多数の底穴（Ｏ）が開口分布する導水路（２２）を、伸縮継手（Ｊ１）〜（Ｊ７）のニュートラル時における道路橋継ぎ目部（Ｓ）のほぼ垂直二等分線（Ｙ−Ｙ）上に沿って延在させたことを特徴とする請求項１記載の道路橋継ぎ目部からの漏水誘導装置。
【請求項５】
漏水（Ａ）のバリアー（Ｂ）を連続１枚物のゴム膜（１８）から折り曲げた袋状として、道路橋継ぎ目部（Ｓ）に沿い点在分布する複数のネジ締結具（Ｎ）とその継ぎ目部（Ｓ）に沿い延在する長いクッション材の間隔保持スペーサー（２１）により、側面視のほぼ下細り漏斗形に締結して、
そのゴム膜（１８）の下端部に多数の底穴（Ｏ）が開口分布する導水路（２２）を、伸縮継手（Ｊ１）〜（Ｊ７）のニュートラル時における道路橋継ぎ目部（Ｓ）のほぼ垂直二等分線（Ｙ−Ｙ）上に沿って延在させると共に、
同じくゴム膜（１８）の上記間隔保持スペーサー（２１）よりも上部のほぼＶ字形に拡開する空間へ、常温加硫型の液状ゴムや水膨潤性ゴム、注入式発泡スポンジなどの止水材（３２）を充填したことを特徴とする請求項１記載の道路橋継ぎ目部からの漏水誘導装置。
【請求項６】
漏水（Ａ）のバリアー（Ｂ）を２枚１組の向かい合うゴム膜（１８ａ）（１８ｂ）又は連続１枚物のゴム膜（１８）から折り曲げた袋状として、
そのゴム膜（１８）（１８ａ）（１８ｂ）の基部上端を伸縮継手（Ｊ１）〜（Ｊ７）の埋設用箱抜き凹所（Ｇ）が切り欠かれたコンクリート床版（１）の上面、下面又は道路橋継ぎ目部（Ｓ）に臨む内壁面へ取り付け固定して、そのコンクリート床版（１）から道路橋継ぎ目部（Ｓ）に沿って吊り下げたことを特徴とする請求項１記載の道路橋継ぎ目部からの漏水誘導装置。
【請求項７】
伸縮継手（Ｊ１）〜（Ｊ７）のそれ自体又は道路橋のコンクリート床版（１）から漏水（Ａ）のバリアー（Ｂ）として吊り下げるゴム膜（１８）（１８ａ）（１８ｂ）の一定深さ位置（Ｐ）を、上記コンクリート床版（１）の下面から鋼製主桁（Ｆ）のシュー（９）と対応する深さ位置までの間に選定したことを特徴とする請求項２、３、４又は５記載の道路橋継ぎ目部からの漏水誘導装置。
【請求項８】
伸縮継手（Ｊ１）〜（Ｊ７）とほぼ同じ一定単位長さのゴム膜（１８）（１８ａ）（１８ｂ）同士を直列状態に突き合わせやすくするための延長ゴムカバー（２５ａ）（２５ｂ）を、上記ゴム膜（１８）（１８ａ）（１８ｂ）の一端部へその一端部から予じめ一定長さ（Ｌ１）だけ張り出す部分的なオーバーラップ状態に固着一体化したことを特徴とする請求項２、３、４又は５記載の道路橋継ぎ目部からの漏水誘導装置。
【請求項９】
伸縮継手（Ｊ７）を道路橋の歩道用として、その向かい合う両起立壁プレート（１２ａ）（１２ｂ）のうち、道路横断勾配の上流側起立壁プレート（１２ａ）にのみ路盤工（５４）の浸透水（Ａ’）を道路橋継ぎ目部（Ｓ）へ抜く複数の水抜き孔（５８）を開口分布させるか、又はその上流側起立壁プレート（１２ａ）と路盤工（５４）とを複数の水抜きパイプ（６５）により連通接続して、
両起立壁プレート（１２ａ）（１２ｂ）から吊り下げたゴム膜（１８）（１８ａ）（１８ｂ）の導水路（２２）に沿って、上記路盤工（５４）の浸透水（Ａ’）を継手遊間（Ｄ）からの漏水（Ａ）と一緒に落下させるように定めたことを特徴とする請求項２、３、４又は５記載の道路橋継ぎ目部からの漏水誘導装置。
【発明の詳細な説明】
【技術分野】
【０００１】
本発明は道路橋継ぎ目部（床版遊間）からの漏水誘導装置に係り、その漏水が伝わることによるコンクリート床版や鋼製主桁などの早期な劣化を予防しようとするものである。
【背景技術】
【０００２】
道路橋のコンクリート床版（橋桁）同士又はその床版と橋台に切り欠かれた箱抜き凹所へ、後打ちコンクリートの打設により埋設施工された荷重支持型伸縮継手の継手遊間には、ゴム製のシールやその他の伸縮可能な止水材が加硫接着や固定ボルトなどにより介挿設置されている通例であるが、その止水材は経年使用により劣化するため、必らずや漏水する。
【０００３】
そして、その継手遊間からの漏水は道路橋継ぎ目部（床版遊間）に臨むコンクリート床版や、コンクリート桁又は鋼製の主桁を伝わって、その主桁を支持しているシュー（支承）まで落下することになり、その漏水を繰り返し受けたコンクリート床版やコンクリート桁からは、アルカリ成分が溶け出し、遊離石灰となって所謂氷柱状に垂れ下がるほか、そのコンクリート床版やコンクリート桁の埋設鉄筋も漏水の浸透によって発錆する。
【０００４】
又、漏水の落下を長期間放置すると、鋼製主桁の塗装が剥がれてしまい、その主桁のウエブ並びに上下一対のフランジが発錆する。更には、その主桁を支持している鋼製のシュー（支承）までも発錆する至り、道路橋の耐久性が低下するのである。このような現象が、現地調査によって判明している。
【０００５】
この点、下記特許文献１〜３では継手遊間から落下する漏水を、樋状のゴムベルトにより受け止めて、道路横断勾配に従って路肩部へ排出するようになっている。
【先行技術文献】
【特許文献】
【０００６】
【特許文献１】特許第３４４２３６２号公報
【特許文献２】特許第３０１６５５８号公報
【特許文献３】実公昭５１−５１７９４号公報
【発明の概要】
【発明が解決しようとする課題】
【０００７】
ところが、継手遊間に介在するゴム製シールなどの止水材は、路面から侵入する舗装アスファルトの剥離片や通行車両からの落下土砂、タイヤの摩耗片、その他の各種固形物を受け止めるため、特に降雪量の多い寒冷地や伸縮量の大きな道路橋の場合、伸縮継手から容易に剥がれ落ちてしまうのである。
【０００８】
そうすると、その止水材が伸縮継手のそれ自体又はコンクリート床版（道路橋本体）から吊り下がる樋状のゴムベルトに受け止められて、そのゴムベルトの道路横断方向に沿う排水機能を失わせてしまうことになり、その結果上記継手遊間からの漏水はゴムベルトにおける車線毎の継ぎ目部（突き合わせ部）から落下し、依然としてコンクリート床版や鋼製主桁などの早期な劣化を招来するのである。
【課題を解決するための手段】
【０００９】
本発明はこのような課題の改良を目的としており、その目的を達成するために、請求項１では道路橋継ぎ目部の伸縮継手からその継ぎ目部に沿って落下する漏水が、道路橋における少なくともコンクリート床版の下面位置まで伝わることを防ぐバリアーを、上記伸縮継手のそれ自体又はコンクリート床版から吊り下げたことを特徴とする。
【００１０】
請求項２では漏水のバリアーを２枚１組の向かい合うゴム膜として、道路橋継ぎ目部に沿い点在分布する複数づつのネジ締結具とその座金になる間隔保持スペーサーにより、側面視のほぼ下細り漏斗形に締結すると共に、
【００１１】
その両ゴム膜の一定幅だけ下向きに開口する導水路を、伸縮継手のニュートラル時における道路橋継ぎ目部のほぼ垂直二等分線上に沿って延在させたことを特徴とする。
【００１２】
請求項３では漏水のバリアーを２枚１組の向かい合うゴム膜として、道路橋継ぎ目部に沿い点在分布する複数のネジ締結具とその継ぎ目部に沿い延在する長いクッション材の間隔保持スペーサーにより、側面視のほぼ下細り漏斗形に締結して、
【００１３】
その両ゴム膜の一定幅だけ下向きに開口する導水路を、伸縮継手のニュートラル時における道路橋継ぎ目部のほぼ垂直二等分線上に沿って延在させると共に、
【００１４】
同じく両ゴム膜の上記間隔保持スペーサーよりも上部のほぼＶ字形に拡開する空間へ、常温加硫型の液状ゴムや水膨潤性ゴム、注入式発泡スポンジなどの止水材を充填したことを特徴とする。
【００１５】
又、請求項４では漏水のバリアーを連続１枚物のゴム膜から折り曲げた袋状として、道路橋継ぎ目部に沿い点在分布する複数づつのネジ締結具とその座金になる間隔保持スペーサーにより、側面視のほぼ下細り漏斗形に締結すると共に、
【００１６】
そのゴム膜の下端部に多数の底穴が開口分布する導水路を、伸縮継手のニュートラル時における道路橋継ぎ目部のほぼ垂直二等分線上に沿って延在させたことを特徴とする。
【００１７】
請求項５では漏水のバリアーを連続１枚物のゴム膜から折り曲げた袋状として、道路橋継ぎ目部に沿い点在分布する複数のネジ締結具とその継ぎ目部に沿い延在する長いクッション材の間隔保持スペーサーにより、側面視のほぼ下細り漏斗形に締結して、
【００１８】
そのゴム膜の下端部に多数の底穴が開口分布する導水路を、伸縮継手のニュートラル時における道路橋継ぎ目部のほぼ垂直二等分線上に沿って延在させると共に、
【００１９】
同じくゴム膜の上記間隔保持スペーサーよりも上部のほぼＶ字形に拡開する空間へ、常温加硫型の液状ゴムや水膨潤性ゴム、注入式発泡スポンジなどの止水材を充填したことを特徴とする。
【００２０】
請求項６では漏水のバリアーを２枚１組の向かい合うゴム膜又は連続１枚物のゴム膜から折り曲げた袋状として、
【００２１】
そのゴム膜の基部上端を伸縮継手の埋設用箱抜き凹所が切り欠かれたコンクリート床版の上面、下面又は道路橋継ぎ目部に臨む内壁面へ取り付け固定して、そのコンクリート床版から道路橋継ぎ目部に沿って吊り下げたことを特徴とする。
【００２２】
更に、請求項７では伸縮継手のそれ自体又は道路橋のコンクリート床版から漏水のバリアーとして吊り下げるゴム膜の一定深さ位置を、上記コンクリート床版の下面から鋼製主桁のシューと対応する深さ位置までの間に選定したことを特徴とする。
【００２３】
請求項８では伸縮継手とほぼ同じ一定単位長さのゴム膜同士を直列状態に突き合わせやすくするための延長ゴムカバーを、上記ゴム膜の一端部へその一端部から予じめ一定長さだけ張り出す部分的なオーバーラップ状態に固着一体化したことを特徴とする。
【００２４】
請求項９では伸縮継手を道路橋の歩道用として、その向かい合う両起立壁プレートのうち、道路横断勾配の上流側起立壁プレートにのみ路盤工の浸透水を道路橋継ぎ目部へ抜く複数の水抜き孔を開口分布させるか、又はその上流側起立壁プレートと路盤工とを複数の水抜きパイプにより連通接続して、
【００２５】
両起立壁プレートから吊り下げたゴム膜の導水路に沿って、上記路盤工の浸透水を継手遊間からの漏水と一緒に落下させるように定めたことを特徴とする。
【発明の効果】
【００２６】
請求項１の上記構成によれば、伸縮継手の継手遊間に介在している止水材が経年使用中に劣化して、その継手遊間から万一漏水が落下するも、その漏水が道路橋のコンクリート床版や延いては鋼製主桁などへ伝わることを、バリアーによって遮断することができ、その道路橋のコンクリート床版や鋼製主桁などの早期な劣化を予防し得る効果がある。
【００２７】
その場合、請求項２や請求項４の構成を採用するならば、上記バリアーとなるゴム膜を伸縮継手のニュートラル時における道路橋継ぎ目部のほぼ垂直二等分線上に沿って延在させているため、継手遊間からの漏水はコンクリート床版や鋼製主桁などへますます伝わり難くなり、そのバリアー効果が向上するほか、上記漏水をゴム膜から成る導水路に沿って真下方向へ誘導し得るため、道路横断方向へ排水するゴムベルトのような車線毎の継ぎ目部（突き合わせ部）から落下する漏水が、コンクリート床版や鋼製主桁などに伝わるおそれもない。
【００２８】
又、請求項３や請求項５の構成を採用するならば、請求項２や請求項４の構成による上記効果を達成できることに加えて、ゴム膜の間隔保持スペーサーが道路橋継ぎ目部に沿い橋幅方向へ延在する長いクッション材であることに基き、その間隔保持スペーサーよりも上部に区成されたゴム膜のほぼＶ字形空間へ、常温加硫型の液状ゴムや注入式発泡スポンジなどの止水材を充填することができ、継手遊間に介在する止水材との二重止水効果も得られるのである。
【００２９】
特に、請求項２や請求項３の構成を採用するならば、漏水のバリアーが２枚１組のゴム膜から成るため、鋼製道路橋に適用した場合の補修時に、そのネジ締結具を分解してゴム膜から取りはずすことにより、継手遊間に介在する古い止水材や両ゴム膜の上部空間に充填されている古い止水材を、両ゴム膜に沿って下方へ抜き取ることができ、これらの新品を上方（路面）から差し込み充填し得る効果があり、補修作業性に優れる。
【００３０】
請求項６の構成を採用するならば、コンクリート床版や橋台に切り欠かれた伸縮継手埋設用の箱抜き凹所へ、如何なる形態の伸縮継手を埋設施工したとしても、請求項１の構成に対応する効果を常に期待できるのであり、汎用性に優れる。
【００３１】
請求項７の構成を採用するならば、道路橋における伸縮量の大小や降雨量・降雪量の多少、その他の適用条件に応じて、そのバリアーとなるゴム膜の吊り下げ深さ位置を最適に選定することができ、便利でもある。
【００３２】
請求項８の構成を採用するならば、一定単位長さのゴム膜同士を直列の継ぎ足し状態に突き合わせやすく、しかもその突き合わせ部は延長ゴムカバーにより被覆されるため、ここから漏水が橋軸方向へ流出・飛散するおそれはない。
【００３３】
更に、請求項９の構成を採用するならば、道路橋の歩道用伸縮継手に適用した場合、その継手遊間から落下する漏水のみならず、路盤工の浸透水も道路横断勾配に沿ってゴム膜の導水路から下方へ誘導できる効果がある。
【図面の簡単な説明】
【００３４】
【図１】本発明の第１実施形態を示す斜面図である。
【図２】同じく側断面図である。
【図３】図２の３−３線に沿う断面図である。
【図４】ゴム膜の継ぎ足し部分を抽出して示す斜面図である。
【図５】図４の変形実施形態を示す斜面図である。
【図６】図２に対応する部分変形実施形態を示す断面図である。
【図７】図２に対応する別な部分変形実施形態を示す断面図である。
【図８】図７の８−８線に沿う断面図である。
【図９】図７に対応する部分変形実施形態を示す断面図である。
【図１０】図２に対応するゴム膜の変形実施形態を示す断面図である。
【図１１】図１０の１１−１１線に沿う断面図である。
【図１２】図５に対応するゴム膜の継ぎ足し部分を抽出して示す斜面図である。
【図１３】図１０に対応する部分変形実施形態を示す断面図である。
【図１４】本発明の第２実施形態を示す斜面図である。
【図１５】図１４の部分変形実施形態を示す断面図である。
【図１６】図１４の別な部分変形実施形態を示す断面図である。
【図１７】本発明の第３実施形態を示す斜面図である。
【図１８】同じく側断面図である。
【図１９】図１８の部分変形実施形態を示す断面図である。
【図２０】図１８の別な部分変形実施形態を示す断面図である。
【図２１】本発明の第４実施形態を示す斜面図である。
【図２２】同じく側断面図である。
【図２３】図２２の部分変形実施形態を示す断面図である。
【図２４】図２２の別な部分変形実施形態を示す断面図である。
【図２５】図２２の更に別な部分変形実施形態を示す断面図である。
【図２６】図２５と更に別な部分変形実施形態を示す断面図である。
【図２７】本発明の第５実施形態を示す斜面図である。
【図２８】同じく側断面図である。
【図２９】本発明の第６実施形態を示す斜面図である。
【図３０】同じく側断面図である。
【図３１】図３０の部分変形実施形態を示す断面図である。
【図３２】図３０の別な部分変形実施形態を示す断面図である。
【図３３】本発明の第７実施形態を示す斜面図である。
【図３４】図３３の変形実施形態を示す断面図である。
【図３５】図３３の別な変形実施形態を示す断面図である。
【図３６】道路橋の断面模式図である。
【図３７】図３６の側面図である。
【図３８】本発明の第８実施形態を示す斜面図である。
【図３９】図３８の部分変形実施形態を示す断面図である。
【図４０】図３８の別な部分変形実施形態を示す断面図である。
【図４１】本発明の第９実施形態を示す斜面図である。
【図４２】同じく側断面図である。
【図４３】図４２の変形実施形態を示す断面図である。
【図４４】本発明の第１０実施形態を示す断面図である。
【図４５】図４４の４５−４５線に沿う断面図である。
【図４６】図４４の変形実施形態を示す断面図である。
【図４７】図４６の４７−４７線に沿う断面図である。
【発明を実施するための形態】
【００３５】
以下、図面に基いて本発明の具体的構成を詳述すると、鋼製道路橋（鋼橋）に適用した本発明の第１実施形態を示す図１〜１３において、（Ｇ）は道路橋継ぎ目部（床版遊間ということもある。）（Ｓ）に跨がる側面視の向かい合うほぼＬ字形として、その道路橋のコンクリート床版（橋桁）（１）同士又は床版（１）と橋台（２）に切り欠かれた伸縮継手埋設用の箱抜き凹所であり、舗装アスファルト（３）の路面から平均的に１２０〜２３０mmの深さを有する。
【００３６】
（Ｆ）は鋼製の主桁（鋼桁）であって、ウエブ（４）と上フランジ（５）並びに下フランジ（６）とから断面ほぼ工字形をなすが、その補強用の端横桁（７）やエンドスティフナー（８）も具備している。（９）は上記主桁（Ｆ）を下方から支持する鋼製のシュー（支承）であり、橋脚（１０）のフラットな上面へ高さ調整モルタル（通称：タイコ）（１１）を介して設置されている。
【００３７】
（Ｊ１）は本発明の第１実施形態に係る荷重支持型伸縮継手であり、道路橋継ぎ目部（Ｓ）に沿って一定の単位長さ（一車線分）（例えば約１５００〜２０００mm）だけ延在する一対の平行な鋼板製起立壁プレート（１２ａ）（１２ｂ）と、その何れか一方の下端部から好ましくは連続一体物のアングル形鋼板（側面視のほぼＬ字形）として、背後方向へ張り出された水平なベースプレート（１３）とから成る。
【００３８】
つまり、そのベースプレート（１３）が図１〜３のように道路橋継ぎ目部（Ｓ）上へ張り出す前端部から、一方の起立壁プレート（１２ｂ）が連続一体に起立しているわけであり、その起立壁プレート（１２ａ）（１２ｂ）同士の向かい合う相互間隙（継手遊間という。）（Ｄ）が道路橋継ぎ目部（Ｓ）に沿って、平面視の直線状に延在することとなる。
【００３９】
（１４）は上記伸縮継手（Ｊ１）の継手遊間（Ｄ）に介在する弾性の１次止水材であって、両起立壁プレート（１２ａ）（１２ｂ）へ加硫接着されたゴム製シール材から成り、その凹溝の内部にはブラックサンドや液状ゴムなどのバックアップ材（１５）が充填されることもある。何れにしても、継手遊間（Ｄ）の１次止水材（１４）は止水機能のほかに、防音機能や各種固形物の捕捉機能なども営なむ。
【００４０】
（１６ａ）（１６ｂ）は上記伸縮継手（Ｊ１）の起立壁プレート（１２ａ）（１２ｂ）から互いに離反する背後方向へ、所定の左右相互間隔を保つ配列分布状態として一体的に張り出し延長された複数づつの埋込み用スタッドアンカーであって、鉄筋（異形棒鋼）やネジ棒、鋼板（フラットバー）などから成り、その何れも水平に横架される通し筋（１７ａ）（１７ｂ）の受け枕となる。
【００４１】
又、（１８ａ）（１８ｂ）は上記伸縮継手（Ｊ１）を形作る一方の起立壁プレート（１２ａ）と他方のベースプレート（１３）とから、好ましくは上記主桁（Ｆ）のシュー（９）と対応する一定深さ位置（Ｐ）まで一体的に吊り下げられた２枚１組のゴム膜であり、道路橋の経年使用中にその伸縮継手（Ｊ１）の継手遊間（Ｄ）から、万一漏水（Ａ）が道路橋継ぎ目部（Ｓ）を通じて落下するも、その漏水（Ａ）を道路橋（鋼橋）のコンクリート床版（１）と鋼製主桁（Ｆ）に接触（伝播）させないバリアー（防護壁）（Ｂ）として機能し得るようになっている。
【００４２】
このような漏水（Ａ）のバリアー（Ｂ）になる両ゴム膜（１８ａ）（１８ｂ）は、伸縮継手（Ｊ１）から自然と垂れ下がる状態に放任してもさしつかえないが、その両ゴム膜（１８ａ）（１８ｂ）の中途深さ位置を狭く絞ることにより、伸縮継手（Ｊ１）から道路橋継ぎ目部（Ｓ）のほぼ垂直二等分線（Ｙ−Ｙ）上に沿って、吊り下がる状態に保つことが望ましい。
【００４３】
この点、そのバリアー（Ｂ）となる両ゴム膜（１８ａ）（１８ｂ）の中途深さ位置には、道路橋継ぎ目部（Ｓ）に沿い所定の左右相互間隔を保って点在分布する複数づつの水平な貫通ボルト（１９）と固定ナット（２０）とから成る着脱自在のネジ締結具（Ｎ）が、その言わば座金として同様に点在分布する複数の両ゴム膜用間隔保持スペーサー（２１）を介して締結されており、その締結状態を解いて、両ゴム膜（１８ａ）（１８ｂ）から取りはずすことも可能である。
【００４４】
そして、このようなネジ締結具（Ｎ）により中途深さ位置を狭く絞り締結された両ゴム膜（１８ａ）（１８ｂ）の上部は、上記継手遊間（Ｄ）に向かってほぼＶ字形に拡開する一方、その中途深さ位置よりも下部が一定な開口幅（間隙）（Ｗ）の導水路（２２）として、伸縮継手（Ｊ１）のニュートラル時における道路橋継ぎ目部（Ｓ）のほぼ垂直二等分線（Ｙ−Ｙ）上に沿い延在する側面視の全体的な下細り漏斗形に保たれている。
【００４５】
但し、上記主桁（Ｆ）同士の隣り合う相互間に限っては、その漏水（Ａ）のバリアー（Ｂ）となる両ゴム膜（１８ａ）（１８ｂ）の吊り下げ深さを図３に示す如く、コンクリート床版（１）の下面位置や主桁（Ｆ）の上フランジ（５）までとして浅く設定してもさしつかえない。
【００４６】
要するに、上記バリアー（Ｂ）となる両ゴム膜（１８ａ）（１８ｂ）が側面視の全体的な下細り漏斗形として、道路橋継ぎ目部（Ｓ）のほぼ垂直二等分線（Ｙ−Ｙ）上に沿い主桁（Ｆ）のシュー（９）と対応する一定深さ位置（Ｐ）まで吊り下げられた状態にあるため、上記伸縮継手（Ｊ１）の継手遊間（Ｄ）から漏水（Ａ）が万一道路橋継ぎ目部（Ｓ）を通じて落下するも、その漏水（Ａ）は図２の矢印で示す如く、両ゴム膜（１８ａ）（１８ｂ）の導水路（２２）に沿って真下方向へ誘導され、道路橋（鋼橋）のコンクリート床版（１）と鋼製主桁（Ｆ）に伝わる（接触する）おそれがない。
【００４７】
その結果、道路橋の永年使用中に伸縮継手（Ｊ１）の上記１次止水材（１４）が劣化して、その継手遊間（Ｄ）から落下した漏水（Ａ）が、コンクリート床版（１）や鋼製主桁（Ｆ）へ繰り返し伝わり迂回することにより、そのコンクリート床版（１）から溶け出したアルカリ成分が遊離石灰となって、所謂氷柱状に垂れ下がったり、又床版（１）の埋設鉄筋を発錆させたりする問題や、更には鋼製主桁（Ｆ）も発錆させたりする問題を予防保全でき、道路橋の耐久性を向上し得るのである。
【００４８】
その場合、上記バリアー（Ｂ）の両ゴム膜（１８ａ）（１８ｂ）としては合成ゴムのみならず、補強繊維入りゴムなども採用することができる。同じく両ゴム膜（１８ａ）（１８ｂ）の中途深さ位置を狭く絞るためのネジ締結具（Ｎ）や、その座金となる剛性な間隔保持スペーサー（２１）としては、ステンレス鋼やその他の発錆しない金属材を採用することが好ましい。上記導水路（２２）に沿って落下した水が跳ね上がり飛散することを防ぐための人工芝（図示省略）を、橋脚（１０）の上面へ敷設固定しておくことも考えられる。
【００４９】
又、道路橋継ぎ目部（Ｓ）に沿って延在する細長い一対の押え座板（フラットバー）（２３ａ）（２３ｂ）を採用し、これによって両ゴム膜（１８ａ）（１８ｂ）の中途深さ位置と下端部付近を図１〜３のような外側から挟み付けた状態に締結しても良い。そうすれば、その下端部付近の押え座板（２３ａ）（２３ｂ）や上記ネジ締結具（Ｎ）を重錘（ウエイト）として、両ゴム膜（１８ａ）（１８ｂ）が振れ動くおそれを防止でき、道路橋継ぎ目部（Ｓ）の垂直二等分線（Ｙ−Ｙ）上へ位置決め停止させやすい効果がある。
【００５０】
更に、図１〜３では上記バリアー（Ｂ）となる両ゴム膜（１８ａ）（１８ｂ）の上部基端を、伸縮継手（Ｊ１）における一方の起立壁プレート（１２ａ）と他方の水平なベースプレート（１３）へ、各々接着一体化しているが、その伸縮継手（Ｊ１）に対する両ゴム膜（１８ａ）（１８ｂ）の取付方法（吊り下げ方法）としては、接着に代る溶着やネジ止め、加硫接着、その他のあらゆる固着手段を採用することができる。
【００５１】
上記道路橋継ぎ目部（Ｓ）の伸縮継手（Ｊ１）を現場施工するに当っては、これを道路橋に切り欠かれた上記箱抜き凹所（Ｇ）の内部へ、これに渡架される水平なハンガーバー（図示省略）の使用により、その起立壁プレート（１２ａ）（１２ｂ）同士の継手遊間（Ｄ）が道路橋継ぎ目部（床版遊間）（Ｓ）上へ臨む対応位置関係として、吊り降ろし挿入セットすると共に、その伸縮継手（Ｊ１）に予じめ取り付けられている両ゴム膜（１８ａ）（１８ｂ）を、道路橋継ぎ目部（Ｓ）へ吊り下がるように降ろして、コンクリート床版（１）並びに鋼製主桁（Ｆ）を漏水（Ａ）との接触から防護できるバリアー（Ｂ）となる状態に保つのである。
【００５２】
そして、一定な単位長さの上記伸縮継手（Ｊ１）を、その隣り合う接続アングル（図示省略）同士のネジ締結により、道路橋の横断方向（橋幅方向）に沿って延在する直列の継ぎ足し状態に接続一体化した後、その伸縮継手（Ｊ１）の埋込み用スタッドアンカー（１６ａ）（１６ｂ）に受け止め支持された水平な通し筋（１７ａ）（１７ｂ）と、コンクリート床版（１）や橋台（２）に既設の垂直な埋込み鉄筋又はこれに代えて打ち込まれた差し筋アンカー（ホールインアンカー）（２４ａ）（２４ｂ）とを、縦横の立体交叉状態に組立溶接し、上記箱抜き凹所（Ｇ）の内部へ上方から後打ちコンクリート（Ｃ）を打設することにより、その道路橋のコンクリート床版（１）や橋台（２）へ埋設一体化すれば良い。
【００５３】
その場合、伸縮継手（Ｊ１）から吊り下がる両ゴム膜（１８ａ）（１８ｂ）は、その伸縮継手（Ｊ１）の起立壁プレート（１２ａ）（１２ｂ）やベースプレート（１３）と同じ一定の単位長さを有するため、上記伸縮継手（Ｊ１）における長手方向（橋幅方向）の一端部（左端部又は右端部）から、予じめ図４、５のような一定長さ（Ｌ１）だけ張り出す延長ゴムカバー（２５ａ）（２５ｂ）を、その両ゴム膜（１８ａ）（１８ｂ）の一端部へ固着一体化しておくことが好ましい。
【００５４】
この点、図４は両ゴム膜（１８ａ）（１８ｂ）の一端部へ外側から部分的なオーバーラップ状態に接着又は溶着された延長ゴムカバー（２５ａ）（２５ｂ）を示しており、図５は同じく両ゴム膜（１８ａ）（１８ｂ）の一端部へ内側から部分的なオーバーラップ状態に接着又は溶着された延長ゴムカバー（２５ａ）（２５ｂ）を示している。
【００５５】
これによれば、一定単位長さの両ゴム膜（１８ａ）（１８ｂ）同士を図４、５の鎖線で示す如く、直列の継ぎ足し状態に突き合わせやすく、その突き合わせ部を延長ゴムカバー（２５ａ）（２５ｂ）により被覆して、両ゴム膜（１８ａ）（１８ｂ）の導水路（２２）に沿い落下する漏水（Ａ）が、その両ゴム膜（１８ａ）（１８ｂ）同士の突き合わせ部から前後方向（橋軸方向）へ流出・飛散するおそれを防止できるのである。
【００５６】
図６は図２と対応する部分変形実施形態を示しており、これでは継手遊間（Ｄ）の１次止水材（１４）を常温加硫型の液状ゴムとして、その液状のもとで継手遊間（Ｄ）へ充填した後、常温で加硫硬化させることにより、両起立壁プレート（１２ａ）（１２ｂ）へ固着一体化している。
【００５７】
そして、その伸縮継手（Ｊ１）の継手遊間（Ｄ）から万一落下する漏水（Ａ）が、道路橋のコンクリート床版（１）と鋼製主桁（Ｆ）に伝わることを防ぐバリアー（Ｂ）となる一方のゴム膜（１８ａ）を、橋台（２）側に配置される起立壁プレート（１２ａ）の下端部へ、その垂下する延長壁プレート（２６）と複数の点在分布する固定ボルト（２７ａ）により取り付け、残る他方のゴム膜（１８ｂ）を床版（橋桁）（１）側に配置される起立壁プレート（１２ｂ）のベースプレート（１３）へ、その下方から水平な押え座板（フラットバー）（２８）と同じく複数の点在分布する固定ボルト（２７ｂ）により取り付けて、道路橋継ぎ目部（Ｓ）のほぼ垂直二等分線（Ｙ−Ｙ）上に沿い吊り下がる導水路（２２）を形作っている。
【００５８】
又、橋台（２）側の箱抜き凹所（Ｇ）へ後打ちコンクリート（Ｃ）を打設した上、その表面へ舗装アスファルト（２９）を覆工することにより、後打ちコンクリート（Ｃ）と舗装アスファルト（３）との境界部に凹みや段差が発生することを防ぎ、通行車両の操縦安定性や騒音防止などの効果を達成している。（３０）は寒冷地に有効な除雪機の刃先逃し用誘導板（リブアンカー）であるが、上記舗装アスファルト（２９）の流動防止用抵抗板としても役立つ。（３１）は板厚の異なる鋼板（フラットバー）から埋込み用スタッドアンカー（１６ｂ）を組み立てるためのネジ締結具であり、その分解も行なえる。
【００５９】
更に、先の図１〜３に示した実施形態では、伸縮継手（Ｊ１）における一方の起立壁プレート（１２ａ）と他方のベースプレート（１３）とから吊り下がる両ゴム膜（１８ａ）（１８ｂ）の向かい合う相互間へ、ネジ締結具（Ｎ）の座金となる剛性な間隔保持スペーサー（２１）を、その複数が所定の左右相互間隔おきに点在分布する状態として介在させている。
【００６０】
そのため、継手遊間（Ｄ）からの漏水（Ａ）は上記間隔保持スペーサー（２１）同士の隣り合う間隙（開口部）を通じ、両ゴム膜（１８ａ）（１８ｂ）の導水路（２２）に沿う所謂ジャジャ洩れ状態として、一挙ストレートに流下することになるが、図２、３と対応する図７、８の別な変形実施形態に示す如く、上記バリアー（Ｂ）となる両ゴム膜（１８ａ）（１８ｂ）の間隔保持スペーサー（２１）を図１〜３の押え座板（２３ａ）（２３ｂ）と同様に、道路橋継ぎ目部（Ｓ）に沿って橋幅方向へ延在する長い透水性のウレタンフォームやその他のクッション材として、そのスペーサー（２１）を上記貫通ボルト（１９）と固定ナット（２０）とから成るネジ締結具（Ｎ）により、挟み付けた圧縮状態に保っても良い。
【００６１】
しかも、この場合には両ゴム膜（１８ａ）（１８ｂ）が継手遊間（Ｄ）に向かってほぼＶ字形に拡開する上部空間へ、ウレタンフォームやスタイロフォームなどの発泡樹脂、ブタジエン系シーリング材、常温加硫型の液状ゴム、水膨潤性ゴム、注入式発泡スポンジなどの止水材（３２）を充填することが好ましい。
【００６２】
そうすれば、その止水材（３２）を受け止める上記間隔保持スペーサー（２１）が透水性であるため、経年使用中に止水材（３２）の止水機能が低下して、上記継手遊間（Ｄ）から万一漏水（Ａ）が落下するも、その漏水（Ａ）は上記スペーサー（２１）を一旦透過して、両ゴム膜（１８ａ）（１８ｂ）の導水路（２２）に沿い言わばポタポタ途切れる状態として、少しづつ滴下することになり、やはり道路橋のコンクリート床版（１）と鋼製主桁（Ｆ）に伝わるおそれはない。
【００６３】
但し、図７、８の実施形態に示した長い間隔保持スペーサー（２１）を採用する場合に、後述する図４４、４５とほぼ同じく、その鋼製主桁（Ｆ）の真上位置と対応する一定幅（図４５の符号Ｗ３参照）だけは不透水のウレタンフォームやその他のクッション材として、上記透水性のそれと連結状態に介在させることにより、継手遊間（Ｄ）から両ゴム膜（１８ａ）（１８ｂ）の導水路（２２）を経て落下する漏水（Ａ）が、上記鋼製主桁（Ｆ）へ降りかからないように保っても良い。
【００６４】
その結果、上記コンクリート床版（１）や鋼製主桁（Ｆ）の発錆に起因する耐久強度の低下を予防できるのであり、このような効果が得られるゴム膜（１８ａ）（１８ｂ）を具備する限りでは、上記止水材（３２）に代る伸縮自在の透水材（排水材）を充填してもさしつかえない。降雨量や降雪量の多少などに応じて、止水材（３２）と透水材（排水材）とを使い分ければ良い。
【００６５】
又、上記透水性のウレタンフォームやその他のクッション材から成る間隔保持スペーサー（２１）は、１次止水材（１４）と同じく橋幅方向に沿って長く横架するため、上記継手遊間（Ｄ）から落下する通行車両の土砂やタイヤの摩耗片、舗装アスファルト（３）の剥離片、その他の各種固形物を、下方から受け止め捕捉するフィルター又はストッパーとしても機能し得るのである。
【００６６】
更に、両ゴム膜（１８ａ）（１８ｂ）のほぼＶ字形に拡開する上部空間へ、上記止水材（３２）と透水材（排水材）との何れが充填される場合でも、これらとこれらを受け止め捕捉する上記間隔保持スペーサー（２１）とは、両ゴム膜（１８ａ）（１８ｂ）のネジ締結具（Ｎ）を下方から取りはずすことにより、その両ゴム膜（１８ａ）（１８ｂ）の導水路（２２）を通じて下方へ抜き出し、上記止水材（３２）やこれに代る透水材（排水材）と間隔保持スペーサー（２１）との新品を、上方（路面）から差し込み充填することもできる。
【００６７】
尚、図７、８の実施形態でも両ゴム膜（１８ａ）（１８ｂ）の下端部付近を、両図から明白な点在分布する複数づつの間隔保持スペーサー（座金）（２１）とネジ締結具（Ｎ）により締結して、その両ゴム膜（１８ａ）（１８ｂ）の振れ動くおそれを防止することができる。
【００６８】
図９は図７と対応する部分変形実施形態を示しており、これでは橋台（２）側の起立壁プレート（１２ａ）と床版（１）側の起立壁プレート（１２ｂ）とを、図６に示した実施形態と同様な継手遊間（Ｄ）の１次止水材（１４）によって連結一体化しているほか、そのコンクリート床版（１）と橋台（２）との箱抜き凹所（Ｇ）へ打設した後打ちコンクリート（Ｃ）の表面へ、その後舗装アスファルト（２９ａ）（２９ｂ）を覆工することにより、後打ちコンクリート（Ｃ）と舗装アスファルト（３）との境界部に凹みや段差が発生することを防ぎ、操縦安定性や消音効果などを図っている。
【００６９】
又、橋台（２）側の起立壁プレート（１２ａ）を下方へ深く延長させて、その起立壁プレート（１２ａ）と床版（１）側の水平なベースプレート（１３）とから吊り下がる両ゴム膜（１８ａ）（１８ｂ）の中途深さ位置へ、やはり長い透水性ウレタンフォームなどのクッション材から成る間隔保持スペーサー（２１）を介挿セットし、同じく長い押え座板（２３ａ）（２３ｂ）と点在分布する複数のネジ締結具（Ｎ）によって取り付けている。
【００７０】
しかも、上記継手遊間（Ｄ）の１次止水材（１４）と両ゴム膜（１８ａ）（１８ｂ）の間隔保持スペーサー（２１）との上下相互間隙へ、図７の実施形態と同様な発泡樹脂や常温加硫型の液状ゴム、水膨潤性ゴム、注入式発泡スポンジなどの２次止水材（３２）を充填している。そのため、１次止水材（１４）のはがれ落ちやすい寒冷地（降雪量の多い地域）用の仕様として、著しく有効になる。但し、その２次止水材（３２）に代る透水材（排水材）を充填しても良いことは、図７、８の実施形態と同様である。
【００７１】
図９の符号（２８ａ）（２８ｂ）は両ゴム膜（１８ａ）（１８ｂ）の上部基端を上記橋台（２）側の起立壁プレート（１２ａ）と床版（１）側のベースプレート（１３）に押え付ける一対の長い押え座板（フラットバー）であり、その起立壁プレート（１２ａ）とベースプレート（１３）へ点在分布する複数の固定ボルト（２７ａ）（２７ｂ）によって取り付けられている。
【００７２】
先の図１〜９に示した実施形態では、上記継手遊間（Ｄ）から落下する漏水（Ａ）のバリアー（Ｂ）を、２枚１組のゴム膜（１８ａ）（１８ｂ）から図２、３や図７、８のように、言わば底無しの導水路（２２）が形作られる対面状態として、しかも伸縮継手（Ｊ１）のそれ自体から鋼製主桁（Ｆ）のシュー（９）と対応する一定深さ位置（Ｐ）まで深く吊り下げているが、図２、３、５と対応する図１０〜１２や図７と対応する図１３の更に別な変形実施形態に示す如く、上記バリアー（Ｂ）を連続１枚物のゴム膜（１８）から折り曲げた袋状として、その導水路（２２）の下端部に多数の底穴（Ｏ）を開口分布させても良い。
【００７３】
そして、そのゴム膜（１８）の上部基端（切り離し両端部）を伸縮継手（Ｊ１）の起立壁プレート（１２ａ）やベースプレート（１３）に固着一体化し、やはり道路橋継ぎ目部（Ｓ）のほぼ垂直二等分線（Ｙ−Ｙ）上に沿って、図１０、１１、１３のようにコンクリート床版（１）の下面位置や鋼製主桁（Ｆ）の上フランジ（５）と対応する一定深さ位置（Ｐ）まで比較的浅く吊り下げるのである。
【００７４】
このようなゴム膜（１８）の中途深さ位置を着脱自在のネジ締結具（Ｎ）により狭く絞って、そのゴム膜（１８）を伸縮継手（Ｊ１）のニュートラル時における道路橋継ぎ目部（Ｓ）のほぼ垂直二等分線（Ｙ−Ｙ）上に沿い延在する側面視の下細り漏斗形に保つことや、上記ネジ締結具（Ｎ）とその座金になる間隔保持スペーサー（２１）並びに押え座板（２３ａ）（２３ｂ）の構成などは、図１〜９に記載のそれと実質的に同一であるが、ゴム膜（１８）の中途深さ位置を狭く絞り形成せず、その連続１枚物の切り離し両端部を伸縮継手（Ｊ１）に取り付け固定して、その伸縮継手（Ｊ１）から言わば自然と垂れ下がる側面視のＶ字形やＵ字形などに放任してもさしつかえない。
【００７５】
つまり、本発明の上記バリアー（Ｂ）になる２枚１組のゴム膜（１８ａ）（１８ｂ）や連続１枚物のゴム膜（１８）は、これを伸縮継手（Ｊ１）から道路橋における鋼製主桁（Ｆ）のシュー（９）と対応する一定深さ位置（Ｐ）まで深く吊り下げることが最も好ましいが、降雨量や降雪量の多少、その他の諸条件次第では、これを伸縮継手（Ｊ１）からコンクリート床版（１）の下面位置や鋼製主桁（Ｆ）の上フランジ（５）と対応する一定深さ位置（Ｐ）までとして、比較的浅く吊り下げても良く、又その深さ位置（Ｐ）をコンクリート床版（１）の下面から上記シュー（９）までの間に選定することもできる。
【００７６】
上記連続１枚物の袋状ゴム膜（１８）から成るバリアー（Ｂ）を、比較的浅く吊り下げる場合には、そのゴム膜（１８）における導水路（２２）の底穴（Ｏ）を図１１に併記する如く、主桁（Ｆ）同士の隣り合う相互間に限って一定幅（Ｘ）だけ開口分布させるにとどめ、その余を有底状態に閉塞することが望ましい。但し、その開口形状は道路橋継ぎ目部（Ｓ）に沿って橋幅方向へ点在分布する楕円形であっても、或いは円形であってもさしつかえない。
【００７７】
上記袋状の導水路（２２）を形作る連続１枚物のゴム膜（１８）は、経年的な使用後にその下端部付近を切断することにより、図１〜９のような２枚１組の向かい合うゴム膜（１８ａ）（１８ｂ）として、引き続き支障なく使用することもできる利点がある。尚、図１０〜１３の実施形態におけるその他の構成は、図１〜９のそれと実質的に同一であるため、その図１０〜１３に図１〜９との対応符号を記入するにとどめる。
【００７８】
図１４〜１６は本発明の第２実施形態に係る荷重支持型伸縮継手（Ｊ２）を示しており、これはやはり道路橋継ぎ目部（Ｓ）に沿って一定の単位長さだけ、平面視の直線状に延在する向かい合う一対の鋼板製起立壁プレート（１２ａ）（１２ｂ）と、その両起立壁プレート（１２ａ）（１２ｂ）の下端部から互いに離反する背後方向へ連続的に張り出す一対の水平な鋼板製ベースプレート（１３ａ）（１３ｂ）とから、全体的な前後対称又は非対称のほぼＬ字形を呈しており、その両起立壁プレート（１２ａ）（１２ｂ）から図１〜１３の第１実施形態と同様なバリアー（Ｂ）になるゴム膜（１８）（１８ａ）（１８ｂ）が、道路橋継ぎ目部（Ｓ）を通じて少なくともコンクリート床版（１）の下面や主桁（Ｆ）の上フランジ（５）と対応する一定深さ位置（Ｐ）まで一体的に吊り下げられている。
【００７９】
しかも、図１４に示した伸縮継手（Ｊ２）では常温加硫型の液状ゴムから成る１次止水材（１４）が、その継手遊間（Ｄ）の密封状態に固着一体化されており、又図１５に示した伸縮継手（Ｊ２）の場合、ゴム製シール材から側面視のほぼＶ字形をなす１次止水材（１４）が、その継手遊間（Ｄ）の密封状態に加硫接着されている。
【００８０】
そして、その図１４、１５の何れにあっても、伸縮継手（Ｊ２）の両起立壁プレート（１２ａ）（１２ｂ）又は両ベースプレート（１３ａ）（１３ｂ）へ上部基端を取り付けらたゴム膜（１８）（１８ａ）（１８ｂ）の中途深さ位置が、一定の左右相互間隔を保って点在分布する複数の剛性な間隔保持スペーサー（座金）（２１）と、向かい合う一対の長い押え座板（フラットバー）（２３ａ）（２３ｂ）とを介して、やはり点在分布する複数のネジ締結具（Ｎ）により狭く絞られ、側面視の下細り漏斗形に保形されている。
【００８１】
他方、図１６に示した伸縮継手（Ｊ２）の場合、橋台（２）側の起立壁プレート（１２ａ）が床版（１）側の起立壁プレート（１２ｂ）よりも下方へ深く延長されており、その高低差のある水平な両ベースプレート（１３ａ）（１３ｂ）から一体的に吊り下がるゴム膜（１８）（１８ａ）（１８ｂ）の中途深さ位置は、道路橋継ぎ目部（Ｓ）に沿って延在する長い透水性ウレタンフォームやその他のクッション材から成る間隔保持スペーサー（２１）を介して、複数の点在分布するネジ締結具（Ｎ）により狭く絞り締結されている。
【００８２】
しかも、そのゴム膜（１８）（１８ａ）（１８ｂ）のほぼＶ字形に拡開する上部空間と継手遊間（Ｄ）との全体には、ウレタンフォームやスタイロフォーム、ブタジエン系シーリング材、常温加硫型の液状ゴム、水膨潤性ゴム、注入式発泡スポンジなどの止水材（３２）が充填されている。この場合にも、止水材（３２）に代る透水材（排水材）を充填して、ゴム膜（１８）（１８ａ）（１８ｂ）の間隔保持スペーサー（２１）により下方から受け止めてもさしつかえない。
【００８３】
尚、図１４〜１６の第２実施形態におけるその他の構成は、図１〜１３の第１実施形態と実質的に同一であるため、その図１４〜１６に図１〜１３との対応符号を記入するにとどめて、その詳細な説明を省略する。
【００８４】
次に、図１７〜２０は本発明の第３実施形態に係る荷重支持型伸縮継手（Ｊ３）を示しており、これは向かい合う一対の鋼板製起立壁プレート（１２ａ）（１２ｂ）と、その両起立壁プレート（１２ａ）（１２ｂ）の上端部から互いに接近する前方へ連続的に張り出す一対の水平な鋼板製トッププレート（３３ａ）（３３ｂ）とを備え、その両トッププレート（３３ａ）（３３ｂ）における張り出し前端部同士の相互間が一定な開口幅（Ｗ１）の切り欠き溝（３４）として、道路橋継ぎ目部（Ｓ）に沿って延在する平面視の波形や鋸歯形、その他の蛇行形態に切り欠かれている。
【００８５】
しかも、両起立壁プレート（１２ａ）（１２ｂ）からは複数つづの埋込み用スタッドアンカー（１６ａ）（１６ｂ）が所定の左右相互間隔を保つ配列分布状態として、互いに離反する背後方向へ一体的に張り出されていることは言うまでもない。両起立壁プレート（１２ａ）（１２ｂ）同士の向かい合う相互間隙（継手遊間）（Ｄ）には、１次止水材（１４）が充填されている。（３５ａ）（３５ｂ）はその１次止水材（１４）を受け止めるストッパー片であって、両起立壁プレート（１２ａ）（１２ｂ）の中途深さ位置に内側から固着されており、補強リブとしても機能する。
【００８６】
そして、このような伸縮継手（Ｊ３）の両起立壁プレート（１２ａ）（１２ｂ）から図１〜１３の第１実施形態と同様なバリアー（Ｂ）になるゴム膜（１８）（１８ａ）（１８ｂ）が、やはり道路橋継ぎ目部（Ｓ）を通じて少なくともコンクリート床版（１）の下面位置や主桁（Ｆ）の上フランジ（５）と対応する一定深さ位置（Ｐ）まで一体的に吊り下げられている。
【００８７】
そのゴム膜（１８）（１８ａ）（１８ｂ）の上部基端は図１７、１８のように両起立壁プレート（１２ａ）（１２ｂ）の下端部へ、内側から押え座板（２８ａ）（２８ｂ）と固定ボルト（２７ａ）（２７ｂ）によって取り付けられており、同じくゴム膜（１８）（１８ａ）（１８ｂ）の中途深さ位置が一定の左右相互間隔を保って点在分布する複数の剛性な間隔保持スペーサー（座金）（２１）と、向かい合う一対の長い押え座板（２３ａ）（２３ｂ）とを介して、複数の点在分布するネジ締結具（Ｎ）により狭く絞られ、側面視の下細り漏斗形に保形されていることは勿論である。
【００８８】
図１７、１８に示した実施形態では、橋台（２）側の起立壁プレート（１２ａ）と床版（１）側の起立壁プレート（１２ｂ）とから吊り下がるゴム膜（１８）（１８ａ）（１８ｂ）の向かい合う相互間（内部）へ、ネジ締結具（Ｎ）の座金となる剛性な間隔保持スペーサー（２１）を、その複数が所定の左右相互間隔おきに点在分布する状態として介在させており、継手遊間（Ｄ）からの漏水（Ａ）が上記間隔保持スペーサー（２１）同士の隣り合う間隙（開口部）を通じ、ゴム膜（１８）（１８ａ）（１８ｂ）の導水路（２２）に沿って流下するようになっているが、図１９、２０の別な実施形態に示す如く、上記バリアー（Ｂ）となるゴム膜（１８）（１８ａ）（１８ｂ）の間隔保持スペーサー（２１）を図７、８、１３と同様に、道路橋継ぎ目部（Ｓ）に沿って橋幅方向へ延在する長い透水性のウレタンフォームやその他のクッション材として、水平の貫通ボルト（１９）と固定ナット（２０）とから成るネジ締結具（Ｎ）により、圧縮状態に挟み付けても良い。
【００８９】
そうすれば、継手遊間（Ｄ）からの漏水（Ａ）は上記間隔保持スペーサー（２１）を透過して、ゴム膜（１８）（１８ａ）（１８ｂ）の導水路（２２）に沿い滴下することになる。その場合、ゴム膜（１８）（１８ａ）（１８ｂ）が継手遊間（Ｄ）に向かってほぼＶ字形に拡開する上部空間へ２次止水材（３２）を、そのストッパー片（３５ａ）（３５ｂ）により受け止められる上記１次止水材（１４）と別個に、又は連続一体物として充填することが好ましい。その２次止水材（３２）に代る透水材（排水材）を充填し、これをゴム膜（１８）（１８ａ）（１８ｂ）の間隔保持スペーサー（２１）により受け止めても良い。
【００９０】
図２０の符号（３６ａ）（３６ｂ）は起立壁プレート（１２ａ）（１２ｂ）から内向き一体的に張り出された複数の補強リブ片であり、所定の左右相互間隔を保って点在分布している。（３７ａ）（３７ｂ）は両起立壁プレート（１２ａ）（１２ｂ）へゴム膜（１８）（１８ａ）（１８ｂ）の上部基端を外側から押え付ける押え座板であるが、その起立壁プレート（１２ａ）（１２ｂ）から外向きに張り出す延長水平片も備えたアングル形鋼板として、その押え座板（３７ａ）（３７ｂ）の延長水平片により、平成１４年３月以降の新設工事から広く設計されることになった道路橋継ぎ目部（床版遊間）（Ｓ）へ設置する伸縮継手（Ｊ３）として、その継手遊間（Ｄ）の拡大が不要な格下の安価なそれを使用できるようになっている。
【００９１】
尚、図１７〜２０の第３実施形態におけるその他の構成は、図１〜１３の上記第１実施形態と実質的に同一であるため、その図１７〜２０に図１〜１３との対応符号を記入するにとどめて、その詳細な説明を省略する。
【００９２】
次に、図２１〜２６は本発明の第４実施形態に係る荷重支持型伸縮継手（Ｊ４）を示しており、これは道路橋継ぎ目部（Ｓ）上への前向き張り出し凸部と非張り出し凹部とが交互する平面視の連続的な蛇行状に屈曲された向かい合う一対の鋼板製起立壁プレート（１２ａ）（１２ｂ）と、その両起立壁プレート（１２ａ）（１２ｂ）の下端部から互いに離反する背後方向へ一体的に張り出して、上記前向き張り出し凸部の開放下面を遮蔽する水平な鋼板製ベースプレート（１３ａ）（１３ｂ）とから成り、その両起立壁プレート（１２ａ）（１２ｂ）からは複数づつの埋込み用スタッドアンカー（１６ａ）（１６ｂ）が所定の左右相互間隔を保つ配列分布状態として、やはり互いに離反する背後方向へ上記ベースプレート（１３ａ）（１３ｂ）よりも長く一体的に張り出し延長されている。
【００９３】
つまり、両起立壁プレート（１２ａ）（１２ｂ）同士の向かい合う相互間隙（継手遊間）（Ｄ）が、平面視の波形やジグザグ形、その他の蛇行形態に造形されているわけであり、その内部には図２１、２２のような１次止水材（１４）が充填状態に固着一体化されている。後打ちコンクリート（Ｃ）は箱抜き凹所（Ｇ）のみならず、これと連通する起立壁プレート（１２ａ）（１２ｂ）の前向き張り出し凸部にも上方から打設されることとなる。
【００９４】
そして、両起立壁プレート（１２ａ）（１２ｂ）の下端部又はベースプレート（１３ａ）（１３ｂ）から上記バリアー（Ｂ）となるゴム膜（１８）（１８ａ）（１８ｂ）を一体的に吊り下げている。この点、図２２の符号（３８ａ）（３８ｂ）は両起立壁プレート（１２ａ）（１２ｂ）の非張り出し凹部へ背後から固着一体化された水平な一対の連結プレートであって、道路橋継ぎ目部（Ｓ）に沿って長く横断しており、これと外側からの押え座板（２８ａ）（２８ｂ）とによって、ゴム膜（１８）（１８ａ）（１８ｂ）の基部上端を取り付け固定している。
【００９５】
図２３は図２２と対応する部分変形実施形態を示しており、これでは継手遊間（Ｄ）にゴム製シール材から成る１次止水材（１４）を加硫接着しているほか、図２２に示した連結プレート（３８ａ）（３８ｂ）の何れか一方又は双方をアングル形鋼板として、その水平片を背後方向へ張り出し延長することにより、図２０の上記実施形態と同じく、その伸縮継手（Ｊ４）の継手遊間（Ｄ）を一定不変の仕様として、言わば格下の伸縮継手（Ｊ４）を使用し乍らも、地震動を考慮した広い道路橋継ぎ目部（Ｓ）に対応した新設工事を行なえるようになっている。
【００９６】
又、図２１〜２３の実施形態ではゴム膜（１８）（１８ａ）（１８ｂ）の向かい合う相互間（内部）へ、ネジ締結具（Ｎ）の座金となる剛性な間隔保持スペーサー（２１）を、その複数が所定の左右相互間隔おきに点在分布する状態として介挿設置しているが、これと対応する図２４〜２６の別な実施形態では同じくゴム膜（１８）（１８ａ）（１８ｂ）の間隔保持スペーサー（２１）を図７、８、１３と同様に、道路橋継ぎ目部（Ｓ）に沿い橋幅方向へ延在する長い透水性のウレタンフォームやその他のクッション材として、複数の点在分布するネジ締結具（Ｎ）により挟み付けた圧縮状態に保っても良い。
【００９７】
図２４〜２６の符号（３９ａ）（３９ｂ）は両起立壁プレート（１２ａ）（１２ｂ）の上端部補強片（フラットバー）であって、その起立壁プレート（１２ａ）（１２ｂ）へ内側から固定横架されており、寒冷地での降雪が継手遊間（Ｄ）へ圧入することによって、その起立壁プレート（１２ａ）（１２ｂ）が不正変形することを防止する。尚、図２１〜２６の第４実施形態におけるその他の構成は、図１〜１３の上記第１実施形態と実質的に同一であるため、その図２１〜２６に図１〜１３との対応符号を記入するにとどめて、その詳細な説明を省略する。
【００９８】
次に、図２７、２８は本発明の第５実施形態に係る荷重支持型伸縮継手（Ｊ５）を示しており、これは道路橋継ぎ目部（Ｓ）に沿って一定の単位長さだけ延在する向かい合う一対の鋼板製起立壁プレート（１２ａ）（１２ｂ）と、その起立壁プレート（１２ａ）（１２ｂ）の背後位置へ一定の前後相互間隔を保って平行に延在された一対の鋼板製起立仕切りプレート（４０ａ）（４０ｂ）と、上記起立壁プレート（１２ａ）（１２ｂ）並びに起立仕切りプレート（４０ａ）（４０ｂ）へ直交する貫通状態として組み付け一体化されることにより、二輪車が嵌まり込まない一定の左右相互間隙（Ｗ２）を保って、前後方向（橋軸方向）に沿い延在する多数の平行な鋼板製連立フィンガープレート（４１ａ）（４１ｂ）と、上記起立壁プレート（１２ａ）（１２ｂ）の下端部から互いに接近する前方へ一体的に張り出されて、連立フィンガープレート（４１ａ）（４１ｂ）を下方から部分的に受け持つ一対の水平な鋼板製ベースプレート（１３ａ）（１３ｂ）とから成り、その連立フィンガープレート（４１ａ）（４１ｂ）における起立仕切りプレート（４０ａ）（４０ｂ）から背後方向へ張り出す約後半部が、埋込み用プレートアンカー（４２ａ）（４２ｂ）として機能するようになっている。
【００９９】
茲に、プレートアンカー（４２ａ）（４２ｂ）は上記第１〜４実施形態に示したスタッドアンカー（１６ａ）（１６ｂ）と同じく、後打ちコンクリート（Ｃ）の打設によって箱抜き凹所（Ｇ）の内部に埋設一体化されるが、第５実施形態の伸縮継手（Ｊ５）にあってはその起立壁プレート（１２ａ）（１２ｂ）と起立仕切りプレート（４０ａ）（４０ｂ）との前後相互間にも、後打ちコンクリート（Ｃ）が打設されることとなる。（４３ａ）（４３ｂ）はその前後相互間に介在しつつ、上記連立フィンガープレート（４１ａ）（４１ｂ）に貫通横架された複数づつの水平な補強棒である。
【０１００】
そして、このような伸縮継手（Ｊ５）の水平な両ベースプレート（１３ａ）（１３ｂ）から図７、８、１３の実施形態と同じバリアー（Ｂ）になるゴム膜（１８）（１８ａ）（１８ｂ）が、やはり道路橋継ぎ目部（Ｓ）を通じて少なくともコンクリート床版（１）の下面位置や主桁（Ｆ）の上フランジ（５）と対応する一定深さ位置（Ｐ）まで一体的に吊り下げられている。ゴム膜（１８）（１８ａ）（１８ｂ）の基部上端は上記ベースプレート（１３ａ）（１３ｂ）と平行な押え座板（フラットバー）（２８ａ）（２８ｂ）と、道路橋継ぎ目部（Ｓ）に沿って点在分布する複数づつの固定ボルト（２７ａ）（２７ｂ）により、上記ベースプレート（１３ａ）（１３ｂ）に取り付けられている。
【０１０１】
図２７、２８に示した伸縮継手（Ｊ５）の場合には、上記バリアー（Ｂ）となるゴム膜（１８）（１８ａ）（１８ｂ）の間隔保持スペーサー（２１）を図７、８、１３の実施形態と同様に、道路橋継ぎ目部（Ｓ）に沿って橋幅方向へ延在する長い透水性のウレタンフォームやその他のクッション材として、点在分布する複数の貫通ボルト（１９）と固定ナット（２０）とから成るネジ締結具（Ｎ）により、圧縮状態に挟み付けると同時に、ゴム膜（１８）（１８ａ）（１８ｂ）を側面視のほぼ下細り漏斗形に保つことが好ましい。
【０１０２】
そうすれば、そのゴム膜（１８）（１８ａ）（１８ｂ）がほぼＶ字形に拡開する上部空間と、上記連立フィンガープレート（４１ａ）（４１ｂ）における約前半部同士の隣り合う左右相互間隙（Ｗ２）へ、ウレタンフォームやスタイロフォームなどの発泡樹脂、常温加硫型の液状ゴム、水膨潤性ゴム、注入式発泡スポンジなどの伸縮可能な止水材（３２）を充填することができ、これを上記した長い間隔保持スペーサー（２１）により、下方から安定良く受け止めることも可能となるからである。（４４）はコンクリート床版（１）の収縮時に破裂又は弾性変形して、上記止水材（３２）の逃げ込む空洞を生成する軟らかく薄肉なフレキシブルチューブである。
【０１０３】
その止水材（３２）に代る透水材（排水材）を充填しても良いことは、図７、８、１３の実施形態と同様である。尚、図２７、２８の第５実施形態におけるその他の構成は、図１〜１３の上記第１実施形態と実質的に同一であるため、その図２７、２８に図１〜１３との対応符号を記入するにとどめて、その詳細な説明を省略する。
【０１０４】
次に、図２９〜３２は本発明の第６実施形態として、鋼床版専用の荷重支持型伸縮継手（Ｊ６）を示しており、（４５）は鋼床版となるフィラープレートであり、その上方から横断勾配調整用（振動吸収用）のゴムパッキング（４６）を介して、水平なデッキプレート（４７）が搭載され、且つ鋼製主桁（４８）の上フランジ（４９）から点在分布状態に起立する複数のスタッドボルト（５０）と固定ナット（５１）により取り付け一体化されている。
【０１０５】
その場合、図２９、３０に示した実施形態ではコンクリート床版（１）側の伸縮継手を、上記第４実施形態に係る伸縮継手（Ｊ４）の前後何れか片側だけとして、その起立壁プレート（１２ｂ）と上記鋼床版（フィラープレート）（４５）側の水平なデッキプレート（４７）とが道路橋継ぎ目部（Ｓ）上へ張り出す前端部同士の向かい合う相互間隙（継手遊間）（Ｄ）を、平面視の波形に造形している。
【０１０６】
しかも、図２９の伸縮継手（Ｊ６）では上記バリアー（Ｂ）となるゴム膜（１８）（１８ａ）（１８ｂ）のうち、その一方の上部基端（切り離し一端部）を水平なデッキプレート（４７）と鋼床版（フィラープレート）（４５）との上下相互間で挟み付け、残る他方の上部基端（切り離し他端部）を水平なベースプレート（１３ｂ）と押え座板（２８）との上下相互間で挟み付けて、道路橋継ぎ目部（Ｓ）の垂直二等分線（Ｙ−Ｙ）上に沿い吊り下げている。
【０１０７】
そのゴム膜（１８）（１８ａ）（１８ｂ）を側面視の全体的な下細り漏斗形に絞り締結しているネジ締結具（Ｎ）の座金となる間隔保持スペーサー（２１）は、図７、８、１３の上記実施形態と同様な透水性のウレタンフォームやその他のクッション材として、道路橋継ぎ目部（Ｓ）に沿って橋幅方向へ長く延在しており、これによってほぼＶ字形に拡開する上部空間に充填された止水材（３２）を受け止め支持している。
【０１０８】
他方、図３０の伸縮継手（Ｊ６）ではゴム膜（１８）（１８ａ）（１８ｂ）における一方の上部基端（切り離し一端部）を、水平なデッキプレート（４７）の前端部から垂下する吊り板（５２）と押え座板（２８ａ）との前後相互間で挟み付け、残る他方の上部基端（切り離し他端部）を連結プレート（３８ｂ）と、延長水平片を備えたアングル形鋼の押え座板（２８ｂ）との前後相互間で挟み付けて、やはり伸縮継手（Ｊ６）から側面視の全体的な下細り漏斗形に吊り下げている。
【０１０９】
又、図３１に示した実施形態ではコンクリート床版（１）側の伸縮継手を、上記第３実施形態に係る伸縮継手（Ｊ３）の前後何れか片側だけとして、その水平なトッププレート（３３ｂ）と上記鋼床版（フィラープレート）（４５）側の水平なデッキプレート（４７）とが道路橋継ぎ目部（Ｓ）上へ張り出す前端部同士の向かい合う相互間を、一定な開口幅（Ｗ１）の切り欠き溝（３４）として平面視の波形に切り欠いている。
【０１１０】
更に、図３２に示した実施形態の場合コンクリート床版（１）側の伸縮継手を、上記第１実施形態に係る伸縮継手（Ｊ１）のアングル形鋼板から成る起立壁プレート（１２ｂ）として、その起立壁プレート（１２ｂ）と上記鋼床版（フィラープレート）（４５）側のデッキプレート（４７）とが向かい合う相互間隙（継手遊間）（Ｄ）を、平面視の直線状に延在させており、道路橋の固定端側へ適用できるようになっている。
【０１１１】
そして、図３１、３２の何れにあってもゴム膜（１８）（１８ａ）（１８ｂ）における鋼床版（フィラープレート）（４５）側の上部基端は、図２９と同じくデッキプレート（４７）と鋼床版（フィラープレート）（４５）との相互間に挟み付けられている一方、コンクリート床版（１）側の上部基端が図３１の伸縮継手（Ｊ６）では、その起立壁プレート（１２ｂ）の下端部から後向き一体的に張り出す水平な延長板（フラットバー）（５３）へ、その下方からの押え座板（２８）を介して挟み付けられており、同じく図３２の伸縮継手（Ｊ６）では水平なベースプレート（１３）へ、やはり下方からの押え座板（２８）を介して挟み付けられている。
【０１１２】
尚、図３１、３２の実施形態におけるその他の構成は、図２９、３０の実施形態と実質的に同一であり、更にその図２９〜３２の第６実施形態におけるその他の構成は、図１〜２６の上記第１〜４実施形態と実質的に同一であるため、その図２９〜３２に図１〜２６との対応符号を記入するにとどめて、その詳細な説明を省略する。
【０１１３】
次に、図３３〜３５は本発明の第７実施形態として、道路橋の歩道（歩道橋）用伸縮継手（Ｊ７）を示しており、これでは歩道の路盤工（５４）に滞溜する浸透水（伏流水）（Ａ’）を道路橋継ぎ目部（Ｓ）へ、自づと誘導排出できるようになっている。
【０１１４】
つまり、図３６、３７に示す如く、車道の舗装アスファルト（３）よりも背高い歩道の舗装アスファルト（５５）は、その下方から砕石の路盤工（５４）によって支持されており、上記舗装アスファルト（５５）の路面から路盤工（５４）の内部へ浸透した水が、道路橋の縦断勾配や壁高欄（５６）により堰止められ、その滞溜水によりコンクリート床版（１）が中性化されて、これから溶け出したアルカリ成分が遊離石灰となって、所謂氷柱状に垂れ下がったり、そのコンクリート床版（１）の埋設鉄筋を発錆させたりする。（５７）は縁石である。
【０１１５】
このような問題点を予防するための図３３に示した伸縮継手（Ｊ７）は、上記第３実施形態の伸縮継手（Ｊ３）に準じた構成の歩道用として、コンクリート床版（１）同士の箱抜き凹所（Ｇ）から上記舗装アスファルト（５５）の路面まで起立する状態に埋設される一対の鋼板製起立壁プレート（１２ａ）（１２ｂ）と、その上端部から互いに接近する前方へ連続的に張り出す一対の水平な鋼板製トッププレート（３３ａ）（３３ｂ）とを備え、その両トップレート（３３ａ）（３３ｂ）における前端部同士の相互間が切り欠き溝（３４）として、平面視の波形や鋸歯形などに蛇行しており、その継手遊間（Ｄ）には１次止水材（１４）が介在している。
【０１１６】
（５８）はこのような伸縮継手（Ｊ７）における両起立壁プレート（１２ａ）（１２ｂ）のうち、その道路横断勾配の上流側をなす一方の中途深さ位置に開口形成された複数の水抜き孔であって、道路橋継ぎ目部（Ｓ）に沿って橋幅方向へ点在分布しており、上記路盤工（５４）の浸透水（伏流水）（Ａ’）を図３３の矢印で示す如く、継手遊間（Ｄ）からの漏水（Ａ）と一緒に、道路橋継ぎ目部（Ｓ）へ抜き出し落下させるようになっている。
【０１１７】
そして、上記伸縮継手（Ｊ７）の両起立壁プレート（１２ａ）（１２ｂ）からは先の第３実施形態と同様なバリアー（Ｂ）になるゴム膜（１８）（１８ａ）（１８ｂ）が、やはり道路橋継ぎ目部（Ｓ）を通じて側面視の下細り漏斗形に吊り下げられている。その場合に、ゴム膜（１８）（１８ａ）（１８ｂ）の中途深さ位置を狭く絞るネジ締結具（Ｎ）の間隔保持スペーサー（２１）としては、先の図１〜３に説示した複数の点在分布する剛性な座金が用いられており、上記継手遊間（Ｄ）から落下する漏水（Ａ）と路盤工（５４）の浸透水（Ａ’）とを、ゴム膜（１８）（１８ａ）（１８ｂ）の導水路（２２）に沿い所謂ジャジャ洩れ状態として、自づと流下させ得るようになっている。
【０１１８】
又、図３４、３５に示した伸縮継手（Ｊ７）も歩道用であるが、これらは路盤工（５４）の内部へ言わば背中合わせの逆向き並列状態として、後打ちコンクリート（Ｃ）により埋設一体化される一対のアングル形鋼板から成り、その継手遊間（Ｄ）が上記第１、２実施形態の伸縮継手（Ｊ１）（Ｊ２）とほぼ同じく、道路橋継ぎ目部（Ｓ）に沿って平面視の直線状に延在する。
【０１１９】
つまり、図３４に示した伸縮継手（Ｊ７）は向かい合う一対の起立壁プレート（１２ａ）（１２ｂ）と、その上端部から互いに離反する背後方向へ連続的に張り出す一対の水平なトッププレート（３３ａ）（３３ｂ）と、その何れか一方のトッププレート（３３ａ）へ複数の点在分布する皿ビス（５９）を介して、上方（路面）から着脱・交換自在に取り付けられた水平のスライドトップカバー（６０）とから成り、そのスライドトップカバー（６０）が残る他方の水平なトッププレート（３３ｂ）の上面を前後方向へスライドして、道路橋の伸縮を吸収し得るようになっている。
【０１２０】
図３５に示した伸縮継手（Ｊ７）の場合、その他方の水平なトッププレート（３３ｂ）にも複数の点在分布する皿ビス（６１）を介して、水平なトップカバー受けプレート（６２）が上方から着脱・交換自在に取り付けられており、上記スライドトップカバー（６０）がそのトップカバー受けプレート（６２）の上面を前後方向へスライドし得るようになっている。
【０１２１】
図３４、３５に示したスライドトップカバー（６０）とそのトップカバー受けプレート（６２）は縞鋼板から成るが、歩行者の滑り止め機能を果す限り、ゴム板などを採用しても良い。上記伸縮継手（Ｊ７）の埋込み用スタッドアンカー（１６ａ）（１６ｂ）や通し筋（１７ａ）（１７ｂ）と組立施工される差し筋アンカー（２４ａ）（２４ｂ）は、コンクリート床版（１）に打ち込まれている。（６３）は後打ちコンクリート（Ｃ）の堰止めブロック、（６４ａ）（６４ｂ）は起立壁プレート（１２ａ）（１２ｂ）とトッププレート（３３ａ）（３３ｂ）とのコーナー補強ブレースである。
【０１２２】
図３４、３５に示した何れの伸縮継手（Ｊ７）でも、その両起立壁プレート（１２ａ）（１２ｂ）のうち、道路横断勾配の上流側をなす一方の中途深さ位置と、路盤工（５４）の下面との前後相互間が、複数の水抜きパイプ（６５）を介して連通されており、上記路盤工（５４）の浸透水（伏流水）（Ａ’）を両図の矢印で示す如く、継手遊間（Ｄ）からの漏水（Ａ）と一緒に、道路橋継ぎ目部（Ｓ）へ自づと抜き出し落下させ得るようになっている。茲に、複数の水抜きパイプ（６５）が図３３に示した上記水抜き孔（５８）と同じく、道路橋継ぎ目部（Ｓ）に沿って橋幅方向へ点在分布していることは言うまでもない。その水抜きパイプ（６５）が路盤工（５４）の内部へ臨む円周面には、上記浸透水（Ａ’）の導入孔（６６）を開口分布させることが望ましい。
【０１２３】
そして、上記伸縮継手（Ｊ７）の両起立壁プレート（１２ａ）（１２ｂ）からは先の第３実施形態とほぼ同様なバリアー（Ｂ）になるゴム膜（１８）（１８ａ）（１８ｂ）が、やはり道路橋継ぎ目部（Ｓ）を通じて側面視の下細り漏斗形に吊り下げられており、導水路（２２）を形作っている。そのゴム膜（１８）（１８ａ）（１８ｂ）の中途深さ位置を狭く絞るネジ締結具（Ｎ）の間隔保持スペーサー（２１）は、図３３に説示したそれと同じ点在分布する複数の剛性な座金である。
【０１２４】
その場合、図３４、３５から明白なように、上記導水路（２２）を形作るゴム膜（１８ａ）（１８ｂ）のうち、その一方の上部基端を上流側起立壁プレート（１２ａ）の下端部へ、残る他方の上部基端を下流側起立壁プレート（１２ｂ）の上端部へ、各々押え座板（２８ａ）（２８ｂ）と複数の固定ボルト（２７ａ）（２７ｂ）によって取り付けることが好ましい。
【０１２５】
そうすれば、下流側の起立壁プレート（１２ｂ）が継手遊間（Ｄ）に臨む板面を、上記した他方のゴム膜（１８ｂ）によって、可及的に発錆し難く被覆することができ、又上記水抜きパイプ（６５）から落下する路盤工（５４）の浸透水（Ａ’）を、上流側起立壁プレート（１２ａ）の下端部から吊り下がる一方のゴム膜（１８ａ）により、その導水路（２２）へ安定良く補集できる利点がある。
【０１２６】
尚、図３３〜３５の第７実施形態におけるその他の構成は図１〜２０の上記第１〜３実施形態と実質的に同一であるため、その図３３〜３５に図１〜２０との対応符号を記入するにとどめて、その詳細な説明を省略する。
【０１２７】
図１〜３５に示した本発明の上記第１〜７実施形態では、各種伸縮継手（Ｊ１）〜（Ｊ７）のそれ自体から２枚１組のゴム膜（１８ａ）（１８ｂ）又は連続１枚物のゴム膜（１８）を一体的に吊り下げ、そのゴム膜（１８）（１８ａ）（１８ｂ）を継手遊間（Ｄ）から落下する漏水（Ａ）が道路橋のコンクリート床版（１）や鋼製主桁（Ｆ）に伝わらないバリアー（Ｂ）として機能させるようになっているが、このようなバリアー（Ｂ）となるゴム膜（１８）（１８ａ）（１８ｂ）を上記伸縮継手（Ｊ１）〜（Ｊ７）から吊り下げる構成に代えて、図３８〜４０の第８実施形態に示す如く、箱抜き凹所（Ｇ）が切り欠かれた橋台（２）やコンクリート床版（残床版）（１）から、やはり道路橋継ぎ目部（Ｓ）を通じて吊り下げることも可能であり、このような構成は上記箱抜き凹所（Ｇ）へ第１〜７実施形態の如何なる伸縮継手（Ｊ１）〜（Ｊ７）を埋設一体化した場合でも、本発明の目的を達成することに役立つ。
【０１２８】
この点、図３８ではゴム膜（１８）（１８ａ）（１８ｂ）の上部基端を伸縮継手埋設用箱抜き凹所（Ｇ）が切り欠かれたコンクリート床版（残床版）（１）の上面へ、その上方から道路橋継ぎ目部（Ｓ）に沿って点在分布する複数づつのドライブイットアンカー（コンクリート釘）（６７ａ）（６７ｂ）と、同じく道路橋継ぎ目部（Ｓ）に沿って延在する長い一対の押え座板（６８ａ）（６８ｂ）により取り付け固定しているが、コンクリート橋と異なって鋼製主桁（Ｆ）が背高く、そのエンドスティフナー（８）と道路橋継ぎ目部（Ｓ）との相互間隙が広大である鋼橋に限っては、その広大な間隙へ下方から作業者が入り込んで現場作業できるため、ゴム膜（１８）（１８ａ）（１８ｂ）の上部基端を図３９のように、コンクリート床版（残床版）（１）の下面へやはり複数づつのドライブイットアンカー（６７ａ）（６７ｂ）と、一対の長い押え座板（６８ａ）（６８ｂ）によって下方から取り付け固定したり、又ゴム膜（１８）（１８ａ）（１８ｂ）の上部基端を図４０に示す如く、コンクリート床版（残床版）（１）と橋台（２）が道路橋継ぎ目部（Ｓ）に臨む内壁面（起立面）へ、フラットバーやアングル形鋼板などから成る一対の長い取付ベース（６９ａ）（６９ｂ）と押え座板（６８ａ）（６８ｂ）並びに複数づつの点在分布する固定ビス（７０ａ）（７０ｂ）を介して、言わば前後方向から取り付け固定したりしても良い。（７１ａ）（７１ｂ）は両取付ベース（６９ａ）（６９ｂ）のクッション座であり、不透水のウレタンフォームから成る。
【０１２９】
その場合、図３８、３９に示した実施形態ではゴム膜（１８）（１８ａ）（１８ｂ）の中途深さ位置を、図１〜１３の第１実施形態と同じく、複数の点在分布するネジ締結具（Ｎ）とその間隔保持スペーサー（座金）（２１）並びに一対の長い押え座板（２３ａ）（２３ｂ）により狭く絞って、側面視の下細り漏斗形に保っているが、図４０に示すような橋幅方向へ延在する長い透水性のウレタンフォームやその他のクッション材を、上記ネジ締結具（Ｎ）の座金になる間隔保持スペーサー（２１）として採用し、これを圧縮状態に挟み付けると共に、これによって受け止められる止水材（３２）を、ゴム膜（１８）（１８ａ）（１８ｂ）の上向き拡開する上部空間へ充填しても良い。
【０１３０】
何れにしても、図３８〜４０の第８実施形態によれば、鋼製主桁（Ｆ）のエンドスティフナー（８）と道路橋継ぎ目部（Ｓ）との相互間隙が広大な鋼橋に適用した場合、その広大な間隙へ下方から現場作業者が入り込んで、上記主桁（Ｆ）の塗装作業は勿論のこと、ゴム膜（１８）（１８ａ）（１８ｂ）の間隔保持スペーサー（２１）やネジ締結具（Ｎ）を新品と取り替える作業、その間隔保持スペーサー（２１）である上記座金とクッション材との交換作業などを行なうことができる。
【０１３１】
又、各種伸縮継手（Ｊ１）〜（Ｊ７）の新設工事や補修工事を行なう際の準備段階において、上記ネジ締結具（Ｎ）の座金となる間隔保持スペーサー（２１）を使用せず、そのネジ締結具（Ｎ）だけの締め上げにより、ゴム膜（１８）（１８ａ）（１８ｂ）を一旦閉合状態に封止すれば、上記工事時にコンクリート床版（１）や橋台（２）から刳り取られるコンクリートの破片が、道路橋継ぎ目部（Ｓ）から下方へ抜け落ちる危険性を予防できる利点がある。
【０１３２】
更に、各種伸縮継手（Ｊ１）〜（Ｊ７）の補修工事時にゴム膜（１８）（１８ａ）（１８ｂ）のネジ締結具（Ｎ）を一旦取りはずして、そのゴム膜（１８）（１８ａ）（１８ｂ）を開口幅（Ｗ）の拡大した垂れ下がり状態に保つことにより、上記継手遊間（Ｄ）に介在する１次止水材（１４）又は／及びゴム膜（１８）（１８ａ）（１８ｂ）の上部空間に充填された（２次）止水材（３２）を、一挙に下方へ抜き出し除去し、再度ゴム膜（１８）（１８ａ）（１８ｂ）をネジ締結具（Ｎ）の締結により絞り形成した後、上記止水材（１４）（３２）の新品を上方（路面）から差し込み充填することも可能である。
【０１３３】
尚、図３８〜４０の第８実施形態におけるその他の構成は、図１〜１３の上記第１実施形態と実質的に同一であるため、その図３８〜４０に図１〜１３との対応符号を記入するにとどめて、その詳細な説明を省略する。
【０１３４】
次に、図４１〜４３は本発明の第９実施形態を示しており、これから明白なように、上記の各種伸縮継手（Ｊ１）〜（Ｊ７）を新品と交換装着する補修工事時に、万一コンクリート床版（残床版）（１）の損傷が激しく、その残床版厚みが薄くなってしまっている場合、これを完全な打ち抜き状態に刳り取って、その鋼製主桁（Ｆ）の上フランジ（５）へ各種伸縮継手（Ｊ１）〜（Ｊ７）を取り付けることが好ましい。
【０１３５】
（Ｍ）はそのために使用する取付マウントであって、水平な接地ベース片（７２ａ）（７２ｂ）と垂直な昇降ガイド片（７３ａ）（７３ｂ）とを備えた前後対称なアングル形鋼板から成り、道路橋継ぎ目部（Ｓ）に沿って橋幅方向へ長く延在している。この点、図例ではその取付マウント（Ｍ）を前後一対づつの２列として並設しているが、これらの広幅な連続一体物を採用してもさしつかえない。
【０１３６】
そして、このような取付マウント（Ｍ）の水平な接地ベース片（７２ａ）（７２ｂ）を複数のネジ締結具や溶接により、鋼製主桁（Ｆ）の上フランジ（５）へ各々取り付け固定すると共に、その取付マウント（Ｍ）を形作っている垂直な昇降ガイド片（７３ａ）（７３ｂ）の下端部から、図１〜１３の上記第１実施形態と同様なバリアー（Ｂ）になるゴム膜（１８）（１８ａ）（１８ｂ）を道路橋継ぎ目部（Ｓ）に沿って一体的に吊り下げている。
【０１３７】
つまり、ゴム膜（１８）（１８ａ）（１８ｂ）の上部基端を上記第１〜７実施形態の各種伸縮継手（Ｊ１）〜（Ｊ７）自身や、上記第８実施形態のコンクリート床版（残床版）（１）へ取り付ける代わりに、鋼製主桁（Ｆ）との一体的な上記取付マウント（Ｍ）へ取り付け固定しているのである。
【０１３８】
又、その取付マウント（Ｍ）の水平な接地ベース片（７２ａ）（７２ｂ）から複数の垂直なスタッドアンカー（鉄筋又はネジ棒）（７４ａ）（７４ｂ）を図４２、４３のように、上記各種伸縮継手（Ｊ１）〜（Ｊ７）が具備している埋込み用スタッドアンカー（１６ａ）（１６ｂ）と立体交叉できる高さ位置まで、一体的に起立させておく一方、各種伸縮継手（Ｊ１）〜（Ｊ７）の起立壁プレート（１２ａ）（１２ｂ）やベースプレート（１３）（１３ａ）（１３ｂ）から上記取付マウント（Ｍ）の昇降ガイド片（７３ａ）（７３ｂ）に沿う昇降脚片（７５ａ）（７５ｂ）を、一体的に垂下させておくのである。
【０１３９】
そこで、初回の補修工事時に各種伸縮継手（Ｊ１）〜（Ｊ７）側の昇降脚片（７５ａ）（７５ｂ）を、道路橋継ぎ目部（Ｓ）の上方から取付マウント（Ｍ）の昇降ガイド片（７３ａ）（７３ｂ）へ、昇降自在に差し込んだ後、その設置高さが調整された状態の上記昇降脚片（７５ａ）（７５ｂ）と、取付マウント（Ｍ）側の昇降ガイド片（７３ａ）（７３ｂ）とを溶接する。
【０１４０】
更に、その取付マウント（Ｍ）の接地ベース片（７２ａ）（７２ｂ）から起立する垂直なスタッドアンカー（７４ａ）（７４ｂ）を、道路橋継ぎ目部（Ｓ）に沿って横架する水平な通し筋（１７ａ）（１７ｂ）と立体交叉状態に溶接する。しかも、特別なアングル形鋼板やチャンネル溝形鋼板などから成る複数の追加スタッドアンカー用植え付け台（７６ａ）（７６ｂ）を、図４１〜４３のように上記垂直なスタッドアンカー（７４ａ）（７４ｂ）の中途高さ位置へ予じめ組み付け溶接しておき、これに上記通し筋（１７ａ）（１７ｂ）を貫通横架させて、その植え付け台（７６ａ）（７６ｂ）を水平の安定な設置状態に保つのである。
【０１４１】
そうすれば、上記取付マウント（Ｍ）の昇降ガイド片（７３ａ）（７３ｂ）から古くなった各種伸縮継手（Ｊ１）〜（Ｊ７）を上方へ取りはずして、その取付マウント（Ｍ）の垂直なスタッドアンカー（７４ａ）（７４ｂ）を図４２、４３の符号（Ｈ−Ｈ）で示す高さレベルから切断すると共に、コンクリート床版（１）や橋台（２）から後打ちコンクリート（Ｃ）も刳り取る次回以降の補修工事時に、上記植え付け台（７６ａ）（７６ｂ）の水平面へ新らたな垂直のスタッドアンカー（図示省略）を追加する如く、植え付け溶接することによって、取り替えられる新品の伸縮継手（Ｊ１）〜（Ｊ７）を初回と同じく、道路橋のコンクリート床版（１）や橋台（２）へ正確・強固に埋設一体化することができ、その現場での作業性に著しく優れる。
【０１４２】
先の図７、８、１３に示した第１実施形態ではゴム膜（１８）（１８ａ）（１８ｂ）の間隔保持スペーサー（２１）として、道路橋継ぎ目部（Ｓ）に沿って橋幅方向へ延在する長い透水性のウレタンフォームやその他のクッション材を採用し、その透水性により継手遊間（Ｄ）からの漏水（Ａ）を、ゴム膜（１８）（１８ａ）（１８ｂ）の導水路（２２）に沿いボタボタと滴下させるようになっているが、図４４〜４７の第１０実施形態に示す如く、前後方向（橋軸方向）に沿って延在するガス管や水道管などの各種添加占有物（Ｚ）が設置された鋼橋（図４４、４５）又はコンクリート橋（図４６、４７）へ、本発明を適用する場合に限っては、そのゴム膜（１８）（１８ａ）（１８ｂ）の間隔保持スペーサー（２１）を上記各種添加占有物（Ｚ）の真上位置と対応する一定幅（Ｗ３）だけ、不透水のウレタンフォームやその他のクッション材として、上記透水性のそれと連結状態に介在させることにより、上記継手遊間（Ｄ）からの漏水（Ａ）が各種添加占有物（Ｚ）へ降りかからないように保って、その占有物（Ｚ）の早期な劣化を予防することが好ましい。
【０１４３】
尚、図１４〜４７の第２〜１０実施形態では上記継手遊間（Ｄ）から落下する漏水（Ａ）のバリアー（Ｂ）になる２枚１組のゴム膜（１８ａ）（１８ｂ）を示しているに過ぎないが、その第２〜１０実施形態でも図１０〜１３に示した連続１枚物のゴム膜（１８）を採用することができる。
【０１４４】
又、このようなゴム膜（１８）（１８ａ）（１８ｂ）を各種伸縮継手（Ｊ１）〜（Ｊ７）のそれ自体と、箱抜き凹所（Ｇ）が切り欠かれた橋台（２）やコンクリート床版（残床版）（１）との何れから吊り下げる場合でも、その導水路（２２）の全体又は部分的に開口する下端部（底穴）を、最も浅いコンクリート床版（１）の下面位置から最も深い鋼製主桁（Ｆ）のシュー（９）と対応する深さ位置（Ｐ）までの間において、適当に選定することができる。
【符号の説明】
【０１４５】
（１）・コンクリート床版
（２）・橋台
（３）・舗装アスファルト
（４）・ウエブ
（５）・上フランジ
（６）・下フランジ
（７）・端横桁
（８）・エンドスティフナー
（９）・シュー（支承）
（１０）・橋脚
（１１）・高さ調整モルタル
（１２ａ）（１２ｂ）・起立壁プレート
（１３）（１３ａ）（１３ｂ）・ベースプレート
（１４）・１次止水材
（１５）・バックアップ材
（１６ａ）（１６ｂ）・埋込み用スタッドアンカー
（１７ａ）（１７ｂ）・通し筋
（１８）（１８ａ）（１８ｂ）・ゴム膜
（１９）・貫通ボルト
（２０）・固定ナット
（２１）・間隔保持スペーサー
（２２）・導水路
（２３ａ）（２３ｂ）・押え座板
（２４ａ）（２４ｂ）・差筋アンカー
（２５ａ）（２５ｂ）・延長ゴムカバー
（２６）・延長壁プレート
（２７ａ）（２７ｂ）・固定ボルト
（２８）（２８ａ）（２８ｂ）・押え座板
（２９）（２９ａ）（２９ｂ）・舗装アスファルト
（３０）・誘導板
（３１）・ネジ締結具
（３２）・（２次）止水材
（３３ａ）（３３ｂ）・トップレート
（３４）・切り欠き溝
（３５ａ）（３５ｂ）・ストッパー片
（３６ａ）（３６ｂ）・補強リブ片
（３７ａ）（３７ｂ）・押え座板
（３８ａ）（３８ｂ）・連結プレート
（３９ａ）（３９ｂ）・上端部補強片
（４０ａ）（４０ｂ）・起立仕切りプレート
（４１ａ）（４１ｂ）・連立フィンガープレート
（４２ａ）（４２ｂ）・プレートアンカー
（４３ａ）（４３ｂ）・補強棒
（４４）・フレキシブルチューブ
（４５）・フィラープレート
（４６）・ゴムパッキング
（４７）・デッキプレート
（４８）・鋼製主桁
（４９）・上フランジ
（５０）・スタッドボルト
（５１）・固定ナット
（５２）・吊り板
（５３）・延長板
（５４）・路盤工
（５５）・舗装アスファルト
（５６）・壁高欄
（５７）・縁石
（５８）・水抜き孔
（５９）・皿ビス
（６０）・スライドトップカバー
（６１）・皿ビス
（６２）・トップカバー受けプレート
（６３）・堰止めブロック
（６４）・コーナー補強ブレース
（６５）・水抜きパイプ
（６６）・導入孔
（６７ａ）（６７ｂ）・ドライブイットアンカー
（６８ａ）（６８ｂ）・押え座板
（６９ａ）（６９ｂ）・取付ベース
（７０ａ）（７０ｂ）・固定ビス
（７１ａ）（７１ｂ）・クッション座
（７２ａ）（７２ｂ）・接地ベース片
（７３ａ）（７３ｂ）・昇降ガイド片
（７４ａ）（７４ｂ）・スタッドアンカー
（７５ａ）（７５ｂ）・昇降脚片
（７６ａ）（７６ｂ）・植え付け台
（Ａ）・漏水
（Ａ’）・浸透水
（Ｂ）・バリアー
（Ｃ）・後打ちコンクリート
（Ｄ）・継手遊間
（Ｆ）・主桁
（Ｇ）・箱抜き凹所
（Ｊ１）〜（Ｊ７）・伸縮継手
（Ｍ）・取付マウント
（Ｎ）・ネジ締結具
（Ｐ）・一定深さ位置
（Ｏ）・底穴
（Ｓ）・道路橋継ぎ目部
（Ｚ）・添加占有物
（Ｈ−Ｈ）・高さレベル
（Ｙ−Ｙ）・垂直二等分線
（Ｘ）・一定幅
（Ｌ１）・張り出し長さ
（Ｗ）（Ｗ１）・開口幅
（Ｗ２）・左右相互間隙
（Ｗ３）・一定幅
【図１】
2011074742.tif 000003
【図２】
2011074742.tif 000004
【図３】
2011074742.tif 000005
【図４】
2011074742.tif 000006
【図５】
2011074742.tif 000007
【図６】
2011074742.tif 000008
【図７】
2011074742.tif 000009
【図８】
2011074742.tif 000010
【図９】
2011074742.tif 000011
【図１０】
2011074742.tif 000012
【図１１】
2011074742.tif 000013
【図１２】
2011074742.tif 000014
【図１３】
2011074742.tif 000015
【図１４】
2011074742.tif 000016
【図１５】
2011074742.tif 000017
【図１６】
2011074742.tif 000018
【図１７】
2011074742.tif 000019
【図１８】
2011074742.tif 000020
【図１９】
2011074742.tif 000021
【図２０】
2011074742.tif 000022
【図２１】
2011074742.tif 000023
【図２２】
2011074742.tif 000024
【図２３】
2011074742.tif 000025
【図２４】
2011074742.tif 000026
【図２５】
2011074742.tif 000027
【図２６】
2011074742.tif 000028
【図２７】
2011074742.tif 000029
【図２８】
2011074742.tif 000030
【図２９】
2011074742.tif 000031
【図３０】
2011074742.tif 000032
【図３１】
2011074742.tif 000033
【図３２】
2011074742.tif 000034
【図３３】
2011074742.tif 000035
【図３４】
2011074742.tif 000036
【図３５】
2011074742.tif 000037
【図３６】
2011074742.tif 000038
【図３７】
2011074742.tif 000039
【図３８】
2011074742.tif 000040
【図３９】
2011074742.tif 000041
【図４０】
2011074742.tif 000042
【図４１】
2011074742.tif 000043
【図４２】
2011074742.tif 000044
【図４３】
2011074742.tif 000045
【図４４】
2011074742.tif 000046
【図４５】
2011074742.tif 000047
【図４６】
2011074742.tif 000048
【図４７】
2011074742.tif 000049
【手続補正書】
【提出日】平成21年10月5日(2009.10.5)
【手続補正１】
【補正対象書類名】特許請求の範囲
【補正対象項目名】請求項７
【補正方法】変更
【補正の内容】
【請求項７】
伸縮継手（Ｊ１）〜（Ｊ７）のそれ自体又は道路橋のコンクリート床版（１）から漏水（Ａ）のバリアー（Ｂ）として吊り下げるゴム膜（１８）（１８ａ）（１８ｂ）の一定深さ位置（Ｐ）を、上記コンクリート床版（１）の下面から鋼製主桁（Ｆ）のシュー（９）と対応する深さ位置までの間に選定したことを特徴とする請求項２、３、４、５又は６記載の道路橋継ぎ目部からの漏水誘導装置。
【手続補正２】
【補正対象書類名】特許請求の範囲
【補正対象項目名】請求項８
【補正方法】変更
【補正の内容】
【請求項８】
伸縮継手（Ｊ１）〜（Ｊ７）とほぼ同じ一定単位長さのゴム膜（１８）（１８ａ）（１８ｂ）同士を直列状態に突き合わせやすくするための延長ゴムカバー（２５ａ）（２５ｂ）を、上記ゴム膜（１８）（１８ａ）（１８ｂ）の一端部へその一端部から予じめ一定長さ（Ｌ１）だけ張り出す部分的なオーバーラップ状態に固着一体化したことを特徴とする請求項２、３、４、５又は６記載の道路橋継ぎ目部からの漏水誘導装置。
【手続補正３】
【補正対象書類名】特許請求の範囲
【補正対象項目名】請求項９
【補正方法】変更
【補正の内容】
【請求項９】
伸縮継手（Ｊ７）を道路橋の歩道用として、その向かい合う両起立壁プレート（１２ａ）（１２ｂ）のうち、道路横断勾配の上流側起立壁プレート（１２ａ）にのみ路盤工（５４）の浸透水（Ａ’）を道路橋継ぎ目部（Ｓ）へ抜く複数の水抜き孔（５８）を開口分布させるか、又はその上流側起立壁プレート（１２ａ）と路盤工（５４）とを複数の水抜きパイプ（６５）により連通接続して、
両起立壁プレート（１２ａ）（１２ｂ）から吊り下げたゴム膜（１８）（１８ａ）（１８ｂ）の導水路（２２）に沿って、上記路盤工（５４）の浸透水（Ａ’）を継手遊間（Ｄ）からの漏水（Ａ）と一緒に落下させるように定めたことを特徴とする請求項２、３、４、５又は６記載の道路橋継ぎ目部からの漏水誘導装置。